(57)【要約】【課題】映像表示装置において、本装置のメニュー画面と外部機器のメニュー画面の両方が同時に表示された場合に、本装置と外部機器の両方に対する同時の動作指示や、本装置又は外部機器に対する不要な動作指示を防ぎ、操作性を向上させる。【解決手段】映像表示装置は、映像表示装置のメニュー画面と外部機器のメニュー画面の両方が表示されているときに（＃１でＹＥＳ）、カーソル移動操作がなされると（＃２でＹＥＳ）、メニュー選択画面を表示する（＃３）。そして、映像表示装置のメニュー画面を利用する選択がなされると（＃４でＹＥＳ）、外部機器のメニュー画面の表示を消去する（＃５）。これにより、映像表示装置のメニュー画面だけを利用可能になる。また、外部機器のメニュー画面を利用する選択がなされると（＃６でＹＥＳ）、映像表示装置のメニュー画面の表示を消去する（＃７）。これにより、外部機器のメニュー画面だけを利用可能になる。【選択図】図４
2012156728.tif 000002
【特許請求の範囲】
【請求項１】
外部機器を接続して使用することができ、映像を表示する表示手段を有する映像表示装置において、
本装置の動作を制御する制御手段を備え、
前記制御手段は、
本装置のメニュー画面と前記外部機器のメニュー画面の両方を前記表示手段に表示しているときに、本装置のメニュー画面と前記外部機器のメニュー画面のいずれのメニュー画面を利用するかをユーザに選択させるためのメニュー選択画面を前記表示手段に表示し、
前記メニュー選択画面を表示しているときに、ユーザにより本装置のメニュー画面を利用する選択がなされると、前記外部機器のメニュー画面の表示を消去し、
前記メニュー選択画面を表示しているときに、ユーザにより前記外部機器のメニュー画面を利用する選択がなされると、本装置のメニュー画面の表示を消去する、
ことを特徴とする映像表示装置。
【請求項２】
前記制御手段は、本装置のメニュー画面と前記外部機器のメニュー画面の両方を前記表示手段に表示しているときに、ユーザによりメニュー画面のカーソルを移動させるカーソル移動操作がなされると、前記メニュー選択画面を前記表示手段に表示する、
ことを特徴とする請求項１に記載の映像表示装置。
【発明の詳細な説明】
【技術分野】
【０００１】
本発明は、映像を表示する映像表示装置に関するものである。
【背景技術】
【０００２】
従来から、例えばテレビジョン受像機などの映像表示装置において、ＨＤＭＩ−ＣＥＣ（High Definition Multimedia Interface-Consumer Electronics Control）に対応したものがある。ＨＤＭＩ−ＣＥＣに対応した映像表示装置は、ＨＤＭＩ−ＣＥＣに対応したＢＤプレイヤ、ＢＤレコーダ、ＤＶＤプレイヤ、ＤＶＤレコーダ、ＡＶアンプ、スイッチャ、スプリッタなどの外部機器を接続して使用できるようになっている。
【０００３】
このような映像表示装置は、ユーザがリモコンを操作することにより、リモコンから受信した信号に基いて、各種動作を行うようになっている。また、このような映像表示装置は、リモコンから受信した信号に基いて、ＣＥＣメッセージを外部機器に送信し、外部機器は、映像表示装置から受信したＣＥＣメッセージに基いて、各種動作を行うようになっている。すなわち、ユーザは、１台のリモコンを操作して、映像表示装置及び外部機器に対して各種動作を指示し、映像表示装置及び外部機器は、ユーザによる１台のリモコンの操作（ユーザによる各種動作の指示）に基いて、各種動作を行うようになっている。
【０００４】
映像表示装置に対して各種動作を指示するときには、例えば、リモコンを操作して、映像表示装置のメニュー画面を映像表示装置のディスプレイに表示させ、そして、リモコンを操作して、映像表示装置のメニュー画面のカーソルを移動させて、映像表示装置のメニュー画面の中から所望の動作内容を選択するようになっている。また、外部機器に対して各種動作を指示するときには、例えば、リモコンを操作して、外部機器のメニュー画面を映像表示装置のディスプレイに表示させ、そして、リモコンを操作して、外部機器のメニュー画面のカーソルを移動させて、外部機器のメニュー画面の中から所望の動作内容を選択するようになっている。
【０００５】
一方、複数台のテレビジョン受信装置をＨＤＭＩケーブルを介して接続し、メインＴＶであるか、あるいは、サブＴＶであるかのいずれかを、複数台のテレビジョン受信装置のそれぞれに設定可能とすると共に、メインＴＶからＣＥＣコマンドによってサブＴＶを制御可能にするようにしたテレビジョン受信システムが知られている（例えば特許文献１参照）。また、シンク機器に複数のソース機器が接続され、ソース機器がシンク機器に表示状態確認要求を送信し、シンク機器がソース機器に表示状態確認通知を送信し、ソース機器は、シンク機器の表示状態が分割表示状態であると判断した場合に、メニューの重畳を中止するようにしたシステムが知られている（例えば特許文献２参照）。また、セットトップボックスと、少なくともＤＶＤプレーヤとに、バスでテレビが接続され、テレビは、他装置からバスを介して受信したコマンドが自装置宛のコマンドである場合には、そのコマンドを実行し、他装置からバスを介して受信したコマンドが自装置宛のコマンドでない場合には、そのコマンドを実行しないようにしたシステムが知られている（例えば特許文献３参照）。
【先行技術文献】
【特許文献】
【０００６】
【特許文献１】特開２００８−７９１６８号公報
【特許文献２】特開２００９−１８８８６４号公報
【特許文献３】特開２００８−２１９９３２号公報
【発明の概要】
【発明が解決しようとする課題】
【０００７】
ところで、上述した従来の映像表示装置において、映像表示装置のメニュー画面と外部機器のメニュー画面の両方が同時に表示されることがある。このような場合、映像表示装置のメニュー画面が外部機器のメニュー画面よりも前面に表示される。そして、映像表示装置のメニュー画面と外部機器のメニュー画面の両方が同時に表示されている場合に、リモコンを操作してカーソルを移動させると、そのときの映像表示装置の状況によって、映像表示装置のメニュー画面のカーソルと外部機器のメニュー画面のカーソルの両方が同時に移動し、又は、前面に表示されている映像表示装置のメニュー画面のカーソルのみが移動する。映像表示装置のメニュー画面のカーソルと外部機器のメニュー画面のカーソルの両方が同時に移動する場合には、映像表示装置のメニュー画面と外部機器のメニュー画面の両方が同時に利用されることになり、その結果、映像表示装置と外部機器の両方に対する同時の動作指示や、映像表示装置又は外部機器に対する不要な動作指示が行われてしまう。また、前面に表示されている映像表示装置のメニュー画面のカーソルのみが移動する場合には、後面に表示されている外部機器のメニュー画面を利用することができない。いずれの場合も、リモコンのキャンセルキーを操作すれば、メニュー画面を消去することができるが、この場合、映像表示装置のメニュー画面と外部機器のメニュー画面の両方が消去されてしまうため、再度、リモコンを操作して、利用する方のメニュー画面（映像表示装置のメニュー画面又は外部機器のメニュー画面）を表示させる必要がある。このように、従来の映像表示装置においては、映像表示装置のメニュー画面と外部機器のメニュー画面の両方が同時に表示された場合に、操作性が悪い。なお、上述した特許文献１乃至特許文献３に開示の内容を適用したとしても、上記の問題を解決することはできない。
【０００８】
本発明は、上記課題を解決するためになされたものであり、本装置のメニュー画面と外部機器のメニュー画面の両方が同時に表示された場合に、本装置と外部機器の両方に対する同時の動作指示や、本装置又は外部機器に対する不要な動作指示を防ぐことができ、操作性を向上させることができる映像表示装置を提供することを目的とする。
【課題を解決するための手段】
【０００９】
上記目的を達成するために請求項１の発明は、外部機器を接続して使用することができ、映像を表示する表示手段を有する映像表示装置において、本装置の動作を制御する制御手段を備え、制御手段は、本装置のメニュー画面と外部機器のメニュー画面の両方を表示手段に表示しているときに、本装置のメニュー画面と外部機器のメニュー画面のいずれのメニュー画面を利用するかをユーザに選択させるためのメニュー選択画面を表示手段に表示し、メニュー選択画面を表示しているときに、ユーザにより本装置のメニュー画面を利用する選択がなされると、外部機器のメニュー画面の表示を消去し、メニュー選択画面を表示しているときに、ユーザにより外部機器のメニュー画面を利用する選択がなされると、本装置のメニュー画面の表示を消去するものである。
【００１０】
請求項２の発明は、請求項１に記載の映像表示装置において、制御手段は、本装置のメニュー画面と外部機器のメニュー画面の両方を表示手段に表示しているときに、ユーザによりメニュー画面のカーソルを移動させるカーソル移動操作がなされると、メニュー選択画面を表示手段に表示するものである。
【発明の効果】
【００１１】
請求項１及び請求項２の発明によれば、本装置のメニュー画面と外部機器のメニュー画面の両方が同時に表示手段に表示された場合には、本装置のメニュー画面と外部機器のメニュー画面のいずれのメニュー画面を利用するかをユーザに選択させるためのメニュー選択画面が表示手段に表示される。ユーザは、このメニュー選択画面を見て、本装置のメニュー画面と外部機器のメニュー画面のいずれのメニュー画面を利用するかを選択することになる。そして、ユーザが本装置のメニュー画面を利用する選択をすると、外部機器のメニュー画面の表示が消去されて、本装置のメニュー画面だけを利用できるようになり、また、ユーザが外部機器のメニュー画面を利用する選択をすると、本装置のメニュー画面の表示が消去されて、外部機器のメニュー画面だけを利用できるようになる。従って、本装置のメニュー画面と外部機器のメニュー画面の両方が同時に表示された場合に、本装置のメニュー画面と外部機器のメニュー画面の両方が同時に利用されることを回避することができ、本装置と外部機器の両方に対する同時の動作指示や、本装置又は外部機器に対する不要な動作指示を防ぐことができる。これにより、本装置のメニュー画面と外部機器のメニュー画面の両方が同時に表示された場合における操作性を向上させることができる。
【図面の簡単な説明】
【００１２】
【図１】本発明の一実施形態に係る映像表示装置と外部機器との接続構成例を示す図。
【図２】同映像表示装置の電気的ブロック構成図。
【図３】（ａ）は同映像表示装置のメニュー画面の表示例を示し、（ｂ）は外部機器のメニュー画面の表示例を示し、（ｃ）は映像表示装置のメニュー画面と外部機器のメニュー画面の両方が表示されているときの表示例を示し、（ｄ）はメニュー選択画面の表示例を示す。
【図４】同映像表示装置の動作を示すフローチャート。
【発明を実施するための形態】
【００１３】
以下、本発明を具体化した実施形態による映像表示装置について図面を参照して説明する。図１は、本実施形態による映像表示装置と外部機器との接続構成例を示す。映像表示装置１は、映像を表示する装置であり、本実施形態ではテレビジョン受像機である。映像表示装置１は、映像を表示する表示手段であるディスプレイ１１と、音声を出力するスピーカ１２と、ユーザに操作され、その操作内容を示す操作信号を赤外線によって送信するリモコン１３と、リモコン１３から送信される操作信号を受信するリモコン受信部１４等を備える。
【００１４】
この映像表示装置１は、外部機器を接続して使用できるようになっている。映像表示装置１は、ＨＤＭＩ−ＣＥＣ（High Definition Multimedia Interface-Consumer Electronics Control）に対応したＨＤＭＩ入力機器であり、外部機器として、ＨＤＭＩ−ＣＥＣに対応したＨＤＭＩ出力機器を接続して使用できるようになっている。ＨＤＭＩ出力機器としては、ＢＤプレイヤ、ＢＤレコーダ、ＤＶＤプレイヤ、ＤＶＤレコーダ、ＡＶアンプ、スイッチャ、スプリッタなどがある。映像表示装置１は、外部機器として、複数台のＨＤＭＩ出力機器を接続して使用できるようになっている。図示の例では、映像表示装置１には、１台の外部機器２がＨＤＭＩケーブル３を介して接続されている。
【００１５】
図２は、映像表示装置１の電気的ブロック構成を示す。映像表示装置１は、上述の構成に加え、テレビジョン受信部１５と、ＨＤＭＩ入出力ポート１６ａ、１６ｂと、ＨＤＭＩ送受信機１７と、ＬＶＤＳトランスミッタ１８と、メモリ１９と、映像表示装置１の動作を制御するマイコン２０等を備える。
【００１６】
テレビジョン受信部１５は、マイコン２０による制御のもと、電波の形態で放送されているテレビジョン信号を不図示のアンテナを介して受信し、そのテレビジョン信号による映像信号及び音声信号を生成する。
【００１７】
ＨＤＭＩ入出力ポート１６ａ、１６ｂには、各々、ＨＤＭＩケーブルを接続できるようになっている。ＨＤＭＩ入出力ポート１６ａ、１６ｂに接続されたＨＤＭＩケーブルには、外部機器が接続される。すなわち、ＨＤＭＩ入出力ポート１６ａ、１６ｂには、各々、ＨＤＭＩケーブルを介して外部機器を接続できるようになっている。
【００１８】
ＨＤＭＩ送受信機１７は、マイコン２０による制御のもと、ＨＤＭＩ入出力ポート１６ａ、１６ｂに入力された映像信号、音声信号、及びＣＥＣメッセージを受信する。ＨＤＭＩ入出力ポート１６ａ、１６ｂにＨＤＭＩケーブルが接続されている場合には、ＨＤＭＩケーブルからＨＤＭＩ入出力ポート１６ａ、１６ｂに映像信号、音声信号、及びＣＥＣメッセージが入力される。すなわち、ＨＤＭＩ送受信機１７は、ＨＤＭＩ入出力ポート１６ａ、１６ｂにＨＤＭＩケーブルが接続されている場合において、マイコン２０による制御のもと、外部機器からＨＤＭＩケーブル及びＨＤＭＩ入出力ポート１６ａ、１６ｂを介して映像信号、音声信号、及びＣＥＣメッセージを受信する。
【００１９】
また、ＨＤＭＩ送受信機１７は、マイコン２０による制御のもと、ＣＥＣメッセージをＨＤＭＩ入出力ポート１６ａ、１６ｂに送信する。ＨＤＭＩ入出力ポート１６ａ、１６ｂにＨＤＭＩケーブルが接続されている場合には、ＨＤＭＩ送受信機１７からＨＤＭＩ入出力ポート１６ａ、１６ｂに送信されたＣＥＣメッセージは、ＨＤＭＩ入出力ポート１６ａ、１６ｂからＨＤＭＩケーブルに出力される。すなわち、ＨＤＭＩ送受信機１７は、ＨＤＭＩ入出力ポート１６ａ、１６ｂにＨＤＭＩケーブルが接続されている場合において、マイコン２０による制御のもと、ＣＥＣメッセージをＨＤＭＩ入出力ポート１６ａ、１６ｂ及びＨＤＭＩケーブルを介して外部機器に送信する。
【００２０】
ＬＶＤＳトランスミッタ１８は、マイコン２０から供給された映像信号をＬＶＤＳ（Low Voltage Differential Signaling）によってディスプレイ１１に伝送する。ディスプレイ１１は、ＬＶＤＳトランスミッタ１８から伝送された映像信号による映像を表示する。スピーカ１２は、マイコン２０から供給された音声信号による音声を出力する。
【００２１】
リモコン１３は、映像表示装置１及び外部機器の各種動作を指示するためにユーザに操作され、その操作内容を示す操作信号を赤外線によって送信する。リモコン受信部１４は、リモコン１３から送信される操作信号を受信する。
【００２２】
メモリ１９は、マイコン２０による制御のもと、外部機器のアドレスや、接続されている外部機器を識別するための識別情報等を保持する。
【００２３】
マイコン２０は、記憶しているファームウェアに基いて、また、リモコン受信部１４により受信した操作信号に基いて（すなわち、ユーザによるリモコン１３の操作に基いて）、映像表示装置１の各種動作を制御する。
【００２４】
マイコン２０は、テレビジョン受信部１５によりテレビジョン信号を受信することによって、テレビジョン放送局からテレビジョン信号を受信する。また、マイコン２０は、ＨＤＭＩ送受信機１７により映像信号、音声信号を受信することによって、外部機器から映像信号、音声信号を受信する。マイコン２０は、ＨＤＭＩ送受信機１７によりＣＥＣメッセージを送信することによって、外部機器にＣＥＣメッセージを送信し、ＨＤＭＩ送受信機１７によりＣＥＣメッセージを受信することによって、外部機器からＣＥＣメッセージを受信する。
【００２５】
ここで、映像表示装置１への外部機器の接続について説明する。上述のように、ＨＤＭＩ入出力ポート１６ａ、１６ｂは、各々、ＨＤＭＩケーブルを介して外部機器を接続できるようになっている。外部機器は、ＨＤＭＩケーブルを介してＨＤＭＩ入出力ポート１６ａ、１６ｂに接続されることにより、映像表示装置１に接続される。すなわち、映像表示装置１には、２台の外部機器を直接的に接続することができる。
【００２６】
また、外部機器がＨＤＭＩ入出力ポートを備えている場合には、その外部機器に（ＨＤＭＩケーブルを介して）別の外部機器を接続することができる。各外部機器は、ＨＤＭＩ−ＣＥＣに対応しており、他から受信した画像信号、音声信号、ＣＥＣメッセージを他に転送する転送機能を有している。すなわち、映像表示装置１には、映像表示装置１に直接的に接続される外部機器を介して、別の外部機器を間接的に接続することができ、さらには、この別の外部機器を介して、さらに別の外部機器を間接的に接続することができる。
【００２７】
つまり、映像表示装置１には、２台までの外部機器を直接的に接続（他の外部機器を介することなく接続）することができると共に、２台以上の外部機器を間接的に接続（他の外部機器を介して接続）することができるようになっている。このようにして、映像表示装置１には、複数台（合計１５台まで）の外部機器を接続することができるようになっている。
【００２８】
このような構成において、映像表示装置１は、リモコン１３から送信される操作信号に基いて（すなわち、ユーザによるリモコン１３の操作に基いて）、各種動作を行うようになっている。また、映像表示装置１は、リモコン１３から送信される操作信号に基いて、ＣＥＣメッセージを外部機器に送信し、外部機器は、映像表示装置１からＣＥＣメッセージを受信して、その受信したＣＥＣメッセージに基いて、各種動作を行うようになっている。すなわち、ユーザは、リモコン１３を操作することによって、映像表示装置１及び外部機器に対して各種動作を指示し、映像表示装置１及び外部機器は、ユーザによるリモコン１３の操作（ユーザによる各種動作の指示）に基いて、各種動作を行うようになっている。なお、外部機器が備え付けのリモコン（その外部機器専用のリモコン）を備えている場合には、外部機器に備え付けのリモコンを操作することによって、その外部機器に対して各種動作を指示することも可能である。
【００２９】
マイコン２０は、映像表示装置１に接続されている外部機器のＣＥＣ物理アドレスを取得する。このＣＥＣ物理アドレスの取得は、映像表示装置１を起動したときや、映像表示装置１に外部機器を接続したときや、映像表示装置１から既に接続されている外部機器を取外したときなどに行われ、映像表示装置１と外部機器との間で、ＣＥＣ物理アドレスを取得するための各種のＣＥＣメッセージを送受信することにより行われる。そして、マイコン２０は、取得したＣＥＣ物理アドレスをメモリ１９に記憶する。従って、メモリ１９は、外部機器のＣＥＣ物理アドレスを保持し、以後、マイコン２０は、メモリ１９に保持されているＣＥＣ物理アドレスに基いて、各種動作を実行する。
【００３０】
上記図１に示した接続構成例では、映像表示装置１には、１台の外部機器２がＨＤＭＩケーブ３を介して接続されている。すなわち、図１に示した接続構成例では、ＨＤＭＩ入出力ポート１６ａ又はＨＤＭＩ入出力ポート１６ｂの一方に（ＨＤＭＩケーブル３を介して）１台の外部機器２が接続されている。従って、図１に示した接続構成例では、この１台の外部機器２のＣＥＣ物理アドレスが取得される。この外部機器２がＨＤＭＩ入出力ポート１６ａに接続されているとすれば、ＣＥＣ物理アドレスとして、「１．０．０．０」が取得される。また、この外部機器２がＨＤＭＩ入出力ポート１６ｂに接続されているとすれば、ＣＥＣ物理アドレスとして、「２．０．０．０」が取得される。なお、映像表示装置１のＣＥＣ物理アドレスは、「０．０．０．０」である。
【００３１】
また、マイコン２０は、テレビジョン放送局から配信されるテレビジョン信号による映像を表示すると共に、テレビジョン放送局から配信されるテレビジョン信号による音声を出力する。すなわち、マイコン２０は、テレビジョン放送局から配信されるテレビジョン信号をテレビジョン受信部１５により受信し、そして、テレビジョン受信部１５により生成された映像信号をＬＶＤＳトランスミッタ１８に供給することによって、テレビジョン放送局から配信されるテレビジョン信号による映像をディスプレイ１１に表示し、また、テレビジョン受信部１５により生成された音声信号をスピーカ１２に供給することによって、テレビジョン放送局から配信されるテレビジョン信号による音声をスピーカ１２から出力する。
【００３２】
また、マイコン２０は、外部機器から送信される映像信号による映像を表示すると共に、外部機器から送信される音声信号による音声を出力する。すなわち、マイコン２０は、外部機器から送信される映像信号及び音声信号をＨＤＭＩ送受信機１７により受信し、そして、ＨＤＭＩ送受信機１７により受信した映像信号をＬＶＤＳトランスミッタ１８に供給することによって、外部機器から送信される映像信号による映像をディスプレイ１１に表示し、また、ＨＤＭＩ送受信機１７により受信した音声信号をスピーカ１２に供給することによって、外部機器から送信される音声信号による音声をスピーカ１２から出力する。
【００３３】
テレビジョン放送局から配信されるテレビジョン信号による映像の表示及び音声の出力は、映像表示装置１が選局されることにより行われ、外部機器から送信される映像信号による映像の表示及び音声の出力は、外部機器を選局することにより行われる。ＨＤＭＩ−ＣＥＣでは、選局されている機器をアクティブソースと呼び、アクティブソースとなっている機器（選局されている機器）は、自身がアクティブソースであるということを通知するＣＥＣメッセージ（アクティブソース通知メッセージ）を他の全ての機器に送信するようになっている。映像表示装置１の選局及び外部機器の選局は、リモコン１３を操作することによって行われる。
【００３４】
すなわち、リモコン１３の操作によって映像表示装置１を選局する操作がなされると、マイコン２０は、リモコン１３から送信される操作信号（リモコン受信部１４により受信した信号）によって、自身（映像表示装置１）が選局されたと判断する。そして、マイコン２０は、テレビジョン放送局から配信されるテレビジョン信号をテレビジョン受信部１５により受信し、テレビジョン受信部１５により生成された映像信号をＬＶＤＳトランスミッタ１８に供給すると共に、テレビジョン受信部１５により生成された音声信号をスピーカ１２に供給する。これにより、テレビジョン放送局から配信されるテレビジョン信号による映像がディスプレイ１１に表示されると共に、テレビジョン放送局から配信されるテレビジョン信号による音声がスピーカ１２から出力される。
【００３５】
また、リモコン１３の操作によって外部機器を選局する操作がなされると、マイコン２０は、リモコン１３から送信される操作信号によって、外部機器が選局されたと判断する。そして、マイコン２０は、その外部機器に、選局された旨のＣＥＣメッセージを送信する。このＣＥＣメッセージを受信した外部機器は、その受信したＣＥＣメッセージによって、自身が選局されたと判断し、アクティブソース通知メッセージを他の全ての機器（映像表示装置１及び他の全ての外部機器）に送信すると共に、映像信号及び音声信号を映像表示装置１に送信する（但し、映像信号の送信機能及び音声信号の送信機能を備えている場合）。マイコン２０は、外部機器から送信されるアクティブソース通知メッセージを受信することで、その外部機器が選局されていると判断し、その外部機器から送信される映像信号及び音声信号を受信して、その受信した映像信号をＬＶＤＳトランスミッタ１８に供給すると共に、その受信した音声信号をスピーカ１２に供給する。これにより、選局されている外部機器から送信される映像信号による映像がディスプレイ１１に表示されると共に、選局されている外部機器から送信される音声信号による音声がスピーカ１２から出力される。
【００３６】
なお、外部機器が備え付けのリモコン（外部機器に専用のリモコン）を備えている場合には、外部機器に備え付けのリモコンを操作して、外部機器を選局することも可能である。この場合、外部機器は、外部機器に備え付けのリモコンからの信号によって、自身が選局されたと判断し、アクティブソース通知メッセージを他の全ての機器（映像表示装置１及び他の全ての外部機器）に送信すると共に、映像信号及び音声信号を映像表示装置１に送信する（但し、映像信号の送信機能及び音声信号の送信機能を備えている場合）。これにより、リモコン１３の操作によって外部機器を選局する操作がなされた場合と同様に、選局されている外部機器から送信される映像信号による映像がディスプレイ１１に表示されると共に、選局されている外部機器から送信される音声信号による音声がスピーカ１２から出力される。
【００３７】
また、マイコン２０は、選局されている外部機器（アクティブソースとなっている外部機器）に対して、ＣＥＣ・リモコン・パス・スルー機能を利用して、リモコン１３から送信される操作信号（リモコン受信部１４により受信した操作信号）をＣＥＣメッセージとして転送する。
【００３８】
また、マイコン２０は、映像表示装置１のメニュー画面を表示する。映像表示装置１のメニュー画面の表示は、映像表示装置１において、ディスプレイ１１に表示する映像の映像信号を、映像表示装置１のメニュー画面を表示するように加工処理することによって行われる。すなわち、テレビジョン放送局から受信したテレビジョン信号による映像をディスプレイ１１に表示しているときには、マイコン２０は、テレビジョン受信部１５により生成された映像信号を、映像表示装置１のメニュー画面を表示するように加工処理し、その加工処理後の映像信号をＬＶＤＳトランスミッタ１８に供給することによって、映像表示装置１のメニュー画面をディスプレイ１１に表示する。また、外部機器から受信した映像信号による映像をディスプレイ１１に表示しているときには、マイコン２０は、ＨＤＭＩ送受信機１７により受信した映像信号を、映像表示装置１のメニュー画面を表示するように加工処理し、その加工処理後の映像信号をＬＶＤＳトランスミッタ１８に供給することによって、映像表示装置１のメニュー画面をディスプレイ１１に表示する。
【００３９】
また、マイコン２０は、外部機器のメニュー画面を表示する。外部機器のメニュー画面の表示は、外部機器において、ディスプレイ１１に表示する映像の映像信号（映像表示装置１に送信する映像信号）を、外部機器のメニュー画面を表示するように加工処理し、その加工処理後の映像信号を映像表示装置１に送信することによって行われる。すなわち、マイコン２０は、外部機器のメニュー画面を表示するように加工処理された映像信号（外部機器から送信される映像信号）をＨＤＭＩ送受信機１７により受信して、その受信した映像信号をそのまま（加工処理することなく）ＬＶＤＳトランスミッタ１８に供給することによって、外部機器のメニュー画面をディスプレイ１１に表示する。
【００４０】
映像表示装置１のメニュー画面の表示は、映像表示装置１のメニュー画面の表示が指示されることによって行われ、外部機器のメニュー画面の表示は、外部機器のメニュー画面の表示が指示されることにより行われる。映像表示装置１のメニュー画面の表示の指示、及び外部機器のメニュー画面の表示の指示は、リモコン１３を操作することによって行われる。
【００４１】
すなわち、リモコン１３の操作によって映像表示装置１のメニュー画面の表示を指示する操作がなされると、マイコン２０は、リモコン１３から送信される操作信号（リモコン受信部１４により受信した信号）によって、自身（映像表示装置１）に対してメニュー画面の表示指示があったと判断する。そして、マイコン２０は、テレビジョン放送局から受信したテレビジョン信号による映像をディスプレイ１１に表示しているときには、テレビジョン受信部１５により生成された映像信号を、映像表示装置１のメニュー画面を表示するように加工処理し、その加工処理後の映像信号をＬＶＤＳトランスミッタ１８に供給する。また、マイコン２０は、外部機器から受信した映像信号による映像をディスプレイ１１に表示しているときには、ＨＤＭＩ送受信機１７により受信した映像信号を、映像表示装置１のメニュー画面を表示するように加工処理し、その加工処理後の映像信号をＬＶＤＳトランスミッタ１８に供給する。これにより、映像表示装置１のメニュー画面がディスプレイ１１に表示される。
【００４２】
また、リモコン１３の操作によって外部機器のメニュー画面の表示を指示する操作がなされると、マイコン２０は、リモコン１３から送信される操作信号によって、外部機器に対してメニュー画面の表示指示があったと判断する。そして、マイコン２０は、メニュー画面の表示の指示をされた外部機器に、メニュー画面を表示する旨（メニュー画面の表示指示がなされた旨）のＣＥＣメッセージを外部機器に送信する。このＣＥＣメッセージを受信した外部機器は、その受信したＣＥＣメッセージによって、自身に対してメニュー画面の表示指示があったと判断する。そして、外部機器は、アクティブソース（選局された機器）となり、アクティブソース通知メッセージを他の全ての外部機器及び映像表示装置１に送信すると共に、ディスプレイ１１に表示する映像の映像信号（映像表示装置１に送信する映像信号）を、外部機器のメニュー画面を表示するように加工処理し、その加工処理後の映像信号を映像表示装置１に送信する。マイコン２０は、外部機器から送信されるアクティブソース通知メッセージを受信することで、その外部機器から送信される映像信号をディスプレイ１１に表示する動作を行い、外部機器から送信される映像信号（外部機器のメニュー画面を表示するように加工処理された映像信号）を受信して、その受信した映像信号をＬＶＤＳトランスミッタ１８に供給する。これにより、外部機器のメニュー画面がディスプレイ１１に表示される。
【００４３】
なお、外部機器が備え付けのリモコン（外部機器に専用のリモコン）を備えている場合には、外部機器に備え付けのリモコンを操作して、外部機器のメニュー画面を表示させることも可能である。この場合、外部機器は、外部機器に備え付けのリモコンからの信号によって、自身に対してメニュー画面の表示指示があったと判断する。そして、外部機器は、アクティブソース（選局された機器）となり、アクティブソース通知メッセージを他の全ての外部機器及び映像表示装置１に送信すると共に、ディスプレイ１１に表示する映像の映像信号（映像表示装置１に送信する映像信号）を、外部機器のメニュー画面を表示するように加工処理し、その加工処理後の映像信号を映像表示装置１に送信する。これにより、リモコン１３の操作によって外部機器のメニュー画面の表示を指示する操作がなされた場合と同様に、外部機器のメニュー画面がディスプレイ１１に表示される。
【００４４】
また、マイコン２０は、映像表示装置１のメニュー画面と外部機器のメニュー画面のいずれのメニュー画面を利用するかをユーザに選択させるためのメニュー選択画面をディスプレイ１１に表示する。メニュー選択画面の表示は、映像表示装置１において、ディスプレイ１１に表示する映像の映像信号を、メニュー選択画面を表示するように加工処理することによって行われる。マイコン２０は、映像表示装置１のメニュー画面と外部機器のメニュー画面の両方が同時に表示されているときに、リモコン１３のカーソルキーが操作されると、自動的に、メニュー選択画面を表示する。
【００４５】
図３（ａ）は、映像表示装置１のメニュー画面の表示例を示し、図３（ｂ）は、外部機器のメニュー画面の表示例を示し、図３（ｃ）は、映像表示装置１のメニュー画面と外部機器のメニュー画面の両方が表示されているときの表示例を示し、図３（ｄ）は、メニュー選択画面の表示例を示す。
【００４６】
図３（ａ）に示すように、映像表示装置１のメニュー画面３０は、映像表示装置１のメニュー画面であることを示す「ＴＶメニュー」の文字列から成るメニュー名３１と、指示可能な動作内容を示す文字列から成る複数の動作項目３２と、複数の動作項目３２の中のいずれかを選択するためのカーソル３３とを含んでいる。
【００４７】
カーソル３３は、リモコン１３のカーソルキーを操作することにより（すなわち、ユーザにより、カーソル３３を移動させるカーソル移動操作がなされることにより）、移動するようになっている。すなわち、マイコン２０は、映像表示装置１のメニュー画面３０を表示しているときに、ユーザによりカーソル移動操作がなされると（リモコン１３のカーソルキーが操作されると）、その操作に応じて、ディスプレイ１１に表示する映像の映像信号を、カーソル３３を移動させるように加工処理する。これにより、ユーザによるカーソル移動操作に応じて、カーソル３３が移動する。
【００４８】
ユーザは、リモコン１３のカーソルキーを操作することにより、カーソル３３を移動させ、そして、リモコン１３の決定キーを操作することにより、複数の動作項目３２の中のいずれかを選択する。マイコン２０は、この選択を受けて、この選択に対応する動作を実行する。
【００４９】
図３（ｂ）に示すように、外部機器のメニュー画面４０は、外部機器のメニュー画面であることを示す「ＢＤメニュー」の文字列から成るメニュー名４１と、指示可能な動作内容を示す文字列から成る複数の動作項目４２と、複数の動作項目４２の中のいずれかを選択するためのカーソル４３とを含んでいる。
【００５０】
外部機器のメニュー画面４０がディスプレイ１１に表示されているとき、その外部機器は、選局された状態（アクティブソース）となっており、アクティブソース通知メッセージを送信している。従って、外部機器のメニュー画面４０が表示されているとき、マイコン２０は、その外部機器からアクティブソース通知メッセージを受信しており、その外部機器に対して、ＣＥＣ・リモコン・パス・スルー機能を利用して、リモコン１３から送信される操作信号（リモコン受信部１４により受信した操作信号）をＣＥＣメッセージとして外部機器に転送する。
【００５１】
カーソル４３は、リモコン１３のカーソルキーを操作することにより（すなわち、ユーザにより、カーソル４３を移動させるカーソル移動操作がなされることにより）、移動するようになっている。すなわち、外部機器のメニュー画面４０を表示しているときに、ユーザによりカーソル移動操作がなされると（リモコン１３のカーソルキーが操作されると）、外部機器は、リモコン１３から送信される操作信号がＣＥＣ・リモコン・パス・スルー機能により外部機器に転送されることによって、その操作を認識し、その操作に応じて、ディスプレイ１１に表示する映像の映像信号（映像表示装置１に送信する映像信号）を、カーソル４３を移動させるように加工処理する。これにより、ユーザによるカーソル移動操作に応じて、カーソル４３が移動する。
【００５２】
ユーザは、リモコン１３のカーソルキーを操作することにより、カーソル４３を移動させ、そして、リモコン１３の決定キーを操作することにより、複数の動作項目４２の中のいずれかを選択する。外部機器は、リモコン１３から送信される操作信号がＣＥＣ・リモコン・パス・スルー機能により外部機器に転送されることによって、この選択を認識し、この選択を受けて、この選択に対応する動作を実行する。
【００５３】
ユーザは、外部機器に備え付けのリモコンを操作することにより、カーソル４３を移動させて、複数の動作項目４２の中のいずれかを選択することも可能である。この場合、外部機器は、外部機器に備え付けのリモコンからの信号によって、ディスプレイ１１に表示する映像の映像信号（映像表示装置１に送信する映像信号）を、カーソル４３を移動させるように加工処理する。これにより、リモコン１３のカーソルキーを操作する場合と同様に、カーソル４３が移動する。そして、外部機器は、外部機器に備え付けのリモコンからの信号によって、複数の動作項目４２の中のいずれかが選択されたと認識する。これにより、リモコン１３のカーソルキーを操作する場合と同様に、複数の動作項目４２の中のいずれかが選択される。
【００５４】
図３（ｃ）に示すように、映像表示装置１のメニュー画面３０と外部機器のメニュー画面４０の両方が同時にディスプレイ１１に表示されることがある。このように映像表示装置１のメニュー画面３０と外部機器のメニュー画面４０の両方が同時に表示されるのは、例えば、リモコン１３を操作して映像表示装置１のメニュー画面３０を表示させ、さらに、リモコン１３を操作して外部機器のメニュー画面４０を表示させた場合や、外部機器に備え付けのリモコンを操作して外部機器のメニュー画面４０を表示させ、さらに、リモコン１３を操作して映像表示装置１のメニュー画面３０を表示させた場合などである。映像表示装置１のメニュー画面３０と外部機器のメニュー画面４０の両方が同時に表示される場合には、外部機器から受信した映像信号（外部機器において、外部機器のメニュー画面４０を表示するように加工処理された映像信号）を、マイコン２０が映像表示装置１のメニュー画面３０を表示するように加工処理することから、映像表示装置のメニュー画面３０が外部機器のメニュー画面４０よりも前面にあるように表示される。
【００５５】
図３（ｄ）に示すように、メニュー選択画面５０は、映像表示装置１のメニュー画面３０と外部機器のメニュー画面４０のどちらを利用するかの選択をユーザに促すための「どちらですか？」の文字列から成るメッセージ５１と、映像表示装置１のメニュー画面３０を利用するときに選択するための「ＴＶ」の文字列から成る選択項目５２ａと、外部機器のメニュー画面４０を利用するときに選択するための「ＢＤ」の文字列から成る選択項目５２ｂと、選択項目５２ａ、５２ｂのどちらかを選択するためのカーソル５３とを含んでいる。
【００５６】
メニュー選択画面５０を表示しているとき、マイコン２０は、映像表示装置１のメニュー画面３０のカーソル３３の移動を禁止すると共に、外部機器のメニュー画面４０のカーソル４３の移動を禁止（ＣＥＣ・リモコン・パス・スルー機能による、リモコン１３から送信される操作信号の外部機器への転送を禁止）する。
【００５７】
カーソル５３は、リモコン１３のカーソルキーを操作することにより（すなわち、ユーザにより、カーソル５３を移動させるカーソル移動操作がなされることにより）、移動するようになっている。すなわち、マイコン２０は、メニュー選択画面５０を表示しているときに、ユーザによりカーソル移動操作がなされると（リモコン１３のカーソルキーが操作されると）、その操作に応じて、ディスプレイ１１に表示する映像の映像信号（外部機器から受信した映像信号）を、カーソル５３を移動させるように加工処理する。これにより、ユーザによるカーソル移動操作に応じて、カーソル５３が移動する。
【００５８】
ユーザは、リモコン１３のカーソルキーを操作することにより、カーソル５３を移動させ、そして、リモコン１３の決定キーを操作することにより、選択項目５２ａ又は選択項目５２ｂのどちらかを選択する。映像表示装置１のメニュー画面３０を利用する場合には、選択項目５２ａを選択し、外部機器のメニュー画面４０を利用する場合には、選択項目５２ｂを選択する。マイコン２０は、この選択を受けて、対応する動作を実行する。
【００５９】
すなわち、メニュー選択画面５０を表示しているときに、ユーザにより映像表示装置１のメニュー画面３０を利用する選択がなされると（選択項目５２ａが選択されると）、マイコン２０は、外部機器のメニュー画面４０、及びメニュー選択画面５０の表示を消去する。外部機器のメニュー画面４０の消去は、外部機器に、外部機器のメニュー画面４０の表示を消去する旨のＣＥＣメッセージを送信することにより行われる。メニュー選択画面５０の消去は、ディスプレイ１１に表示する映像の映像信号に対するメニュー選択画面５０の表示のための加工処理を終了することにより行われる。これにより、映像表示装置１のメニュー画面３０だけが表示された状態になり、映像表示装置１のメニュー画面３０だけを利用できる状態になる。
【００６０】
また、メニュー選択画面５０を表示しているときに、ユーザにより外部機器のメニュー画面４０を利用する選択がなされると（選択項目５２ｂが選択されると）、マイコン２０は、映像表示装置１のメニュー画面３０、及びメニュー選択画面５０の表示を消去する。映像表示装置１のメニュー画面３０の消去は、ディスプレイ１１に表示する映像の映像信号に対する映像表示装置１のメニュー画面３０の表示のための加工処理を終了することにより行われる。メニュー選択画面５０の消去は、ディスプレイ１１に表示する映像の映像信号に対するメニュー選択画面５０の表示のための加工処理を終了することにより行われる。これにより、外部機器のメニュー画面４０だけが表示された状態になり、映像表示装置１のメニュー画面４０だけを利用できる状態になる。
【００６１】
図４は、映像表示装置１の動作フローチャートを示す。マイコン２０は、映像表示装置１のメニュー画面３０と外部機器のメニュー画面４０の両方が同時に表示されているか否かを判断する（＃１）。ここで、映像表示装置１のメニュー画面３０が表示されている場合には、マイコン２０が映像表示装置１のメニュー画面３０の映像を表示するように映像信号を加工処理していることから、マイコン２は、映像表示装置１のメニュー画面３０が表示されていることを認識している。また、外部機器のメニュー画面４０がリモコン１３の操作により表示されたものである場合には、マイコン２０が外部機器のメニュー画面を表示する旨のＣＥＣメッセージを外部機器に送信したことによるものであることから、マイコン２は、外部機器のメニュー画面４０が表示されていることを認識している。一方、外部機器のメニュー画面４０が外部機器に備え付けのリモコンの操作により表示されたものである場合には、マイコン２は、（外部機器からアクティブソース通知メッセージを受信するが）外部機器のメニュー画面４０が表示されていることを認識していない。すなわち、マイコン２０は、映像表示装置１のメニュー画面３０を表示していると共に、外部機器のメニュー画面４０を表示する旨のＣＥＣメッセージを外部機器に送信して後、その外部機器のメニュー画面４０の表示を終了する旨のＣＥＣメッセージを外部機器に送信していないときに、映像表示装置１のメニュー画面３０と外部機器のメニュー画面４０の両方が同時に表示されていると判断する。
【００６２】
映像表示装置１のメニュー画面３０と外部機器のメニュー画面４０の両方が表示されているとマイコン２０が判断しているときに（＃１でＹＥＳ）、ユーザによりリモコン１３を用いてカーソル移動操作がなされると（＃２でＹＥＳ）、マイコン２０は、メニュー選択画面５０を表示する（＃３）。ユーザは、このメニュー選択画面５０を見て、映像表示装置１のメニュー画面３０と外部機器のメニュー画面４０のいずれのメニュー画面を利用するかを選択する。
【００６３】
そして、ユーザにより映像表示装置１のメニュー画面３０を利用する選択がなされると（＃４でＹＥＳ）、マイコン２０は、外部機器のメニュー画面４０及びメニュー選択画面５０を消去する（＃５）。これにより、映像表示装置１のメニュー画面３０だけが表示された状態になり、映像表示装置１のメニュー画面３０だけを利用できる状態になる。
【００６４】
一方、ユーザにより外部機器のメニュー画面４０を利用する選択がなされると（＃６でＹＥＳ）、マイコン２０は、映像表示装置１のメニュー画面３０及びメニュー選択画面５０を消去する（＃７）。これにより、外部機器のメニュー画面４０だけが表示された状態になり、外部機器のメニュー画面４０だけを利用できる状態になる。
【００６５】
また、上記＃１でＮＯのとき、映像表示装置１のメニュー画面３０が表示されていて（＃８でＹＥＳ）、外部機器からアクティブソース通知メッセージを受信しているときにも（＃９でＹＥＳ）、マイコン２０は、上記＃２以降の処理を行う。外部機器からアクティブソース通知メッセージを受信しているときには、その外部機器が選局されていて（その外部機器がアクティブソースとなっていて）、その外部機器から送信される映像信号による映像が表示されている状態であるため、その外部機器に備え付けのリモコンの操作により、その外部機器のメニュー画面４０が表示されている可能性がある。外部機器に備え付けのリモコンの操作により外部機器のメニュー画面４０が表示されている場合には、マイコン２は、その外部機器からアクティブソース通知メッセージを受信するが、その外部機器のメニュー画面４０が表示されていることを認識していない。すなわち、映像表示装置１のメニュー画面３０が表示されていて、外部機器からアクティブソース通知メッセージを受信しているとき（＃８でＹＥＳ及び＃９でＹＥＳのとき）には、マイコン２０が認識していない状況で、映像表示装置１のメニュー画面３０と外部機器のメニュー画面４０の両方が同時に表示されている可能性がある。従って、＃８でＹＥＳ及び＃９でＹＥＳを経由して＃２以降の処理が行われることにより、映像表示装置１のメニュー画面３０と外部機器のメニュー画面４０の両方が同時に表示されている場合において、外部機器のメニュー画面４０が外部機器に備え付けのリモコンの操作により表示されたものである場合（すなわち、マイコン２０が認識していない状況で、映像表示装置１のメニュー画面３０と外部機器のメニュー画面４０の両方が同時に表示されている場合）にも、＃２以降の処理が行われる。
【００６６】
このような構成の映像表示装置１によれば、映像表示装置１のメニュー画面３０と外部機器のメニュー画面４０の両方が同時に表示された場合に、映像表示装置１のメニュー画面３０と外部機器のメニュー画面４０の両方が同時に利用されることを回避することができ、映像表示装置１と外部機器の両方に対する同時の動作指示や、映像表示装置１又は外部機器に対する不要な動作指示を防ぐことができる。これにより、映像表示装置１のメニュー画面３０と外部機器のメニュー画面４の両方が同時に表示された場合における操作性を向上させることができる。
【００６７】
なお、本発明は、上記実施形態の構成に限られず、種々の変形が可能である。例えば、上記＃１の処理に代えて、上記＃８及び＃９の処理を行うようにしてもよい。このようにしても、映像表示装置のメニュー画面と外部機器のメニュー画面の両方が同時に表示されている場合には、必ず＃２以降の処理が行われることになり、上記実施形態と同様の効果が得られる。また、映像表示装置は、テレビジョン受像機に限られず、映像を表示する機能を備えているものであればよい。
【符号の説明】
【００６８】
１    映像表示装置
２    外部機器
３    ＨＤＭＩケーブル
１１    ディスプレイ（表示手段）
１２    スピーカ
１３    リモコン
１４    リモコン受信部
１５    テレビジョン受信部
１６ａ、１６ｂ    ＨＤＭＩ入出力ポート
１７    ＨＤＭＩ送受信機
１８    ＬＶＤＳトランスミッタ
１９    メモリ
２０    マイコン（制御手段）
【図１】
2012156728.tif 000003
【図２】
2012156728.tif 000004
【図３】
2012156728.tif 000005
【図４】
2012156728.tif 000006